(57)【要約】【課題】セードの形状が異なる複数種類の照明器具の梱包に使用可能な照明器具用梱包部材を提供することにより、照明器具用梱包部材の製作コストを低減する。【解決手段】梱包トレーＡの中央部には、照明器具の器具本体を位置固定する本体固定凹所１６が形成される。本体固定凹所１６の周囲には、本体固定凹所１６に位置固定された器具本体を囲む形で開口部を梱包トレーＡ側に向けて梱包トレーＡ上に載置される照明器具のセードにおける開口部の周縁を位置決めすることにより、当該セードを位置固定するセード固定部が設けられる。セード固定部は、開口部の形状が異なる複数種類のセードを種類毎にそれぞれ位置固定する複数種類の位置決め手段として、直線溝２１の本体固定凹部１６側の側面からなる第１固定面３０と環状溝１７の外側の側面からなる第２固定面２０とを有する。【選択図】        図１
2006168758.tif 000002
【特許請求の範囲】
【請求項１】
平面視矩形状に形成され中央部に照明器具の器具本体を位置固定する本体固定凹所が形成された梱包トレーからなり、本体固定凹所の周囲において、本体固定凹所に位置固定された前記器具本体を囲む形で開口部を梱包トレー側に向けて載置される照明器具のセードにおける開口部の周縁を位置決めすることにより当該セードを位置固定するセード固定部を備え、セード固定部は、開口部の周縁の形状が異なる複数種類のセードを種類毎にそれぞれ位置固定する複数種類の位置決め手段を有して成ることを特徴とする照明器具用梱包部材。
【請求項２】
前記照明器具は、天井面に取り付けられ下方に円環形のランプを保持する器具本体と、下面に前記開口部を有しランプを包囲する形で器具本体に着脱可能に取り付けられるセードとを備え、使用時における器具本体の上部が前記本体固定凹所に嵌入され、使用時におけるセードの下端部が梱包トレーに載置された状態で梱包され、前記セード固定部は、開口部が矩形状の第１のセードを備えた第１の照明器具を梱包する際に第１のセードを位置固定する第１の位置決め手段と、開口部が円形状であって当該円形の直径寸法が第１のセードの開口部における各辺の長さ寸法より大きくかつ対角線の長さ寸法より小さい第２のセードを有する第２の照明器具を梱包する際に第２のセードを位置固定する第２の位置決め手段とを有することを特徴とする請求項１記載の照明器具用梱包部材。
【請求項３】
前記位置決め手段は、１つのセードに対して外側から当接する外側押え片と、外側押え片と前記本体固定凹所との間において外側押え片に対して一定の間隔だけ離れて形成され、外側押え片に当接する前記セードと開口部の周縁の形状が同じでかつ前記セードよりもサイズが小さい別のセードに対して内側から当接する内側押え片とを有することを特徴とする請求項１または請求項２記載の照明器具用梱包部材。
【請求項４】
前記照明器具は、天井面から吊下される器具本体と、器具本体の上面に着脱可能に取り付けられ器具本体の上面から引き出される電源コードの一部と器具本体における電源コードの引き出し部位とを覆うコードカバーとを備え、前記梱包トレーは、前記コードカバーを位置固定するコードカバー固定部を少なくとも１つの角部に有することを特徴とする請求項１ないし請求項３のいずれか１項に記載の照明器具用梱包部材。
【請求項５】
前記照明器具は、平面視矩形状のセードと、当該セードの各角部にそれぞれ配置される支柱と隣接する支柱同士を連結する飾り縁とによって構成されセードの外周面を囲む形でセードに取着される飾り枠とを備え、前記梱包トレーは、前記支柱が挿入されることにより当該支柱を保持する支柱保持凹所を各角部にそれぞれ有することを特徴とする請求項１ないし請求項４のいずれか１項に記載の照明器具用梱包部材。
【発明の詳細な説明】
【技術分野】
【０００１】
本発明は、ランプを包囲するセードを備えた照明器具の梱包に用いられる照明器具用梱包部材に関するものである。
【背景技術】
【０００２】
一般に、箱状の外装部材などに照明器具を収納して照明器具を梱包する際には、外装部材内で照明器具を位置固定する照明器具用梱包部材（以下では「梱包部材」と略称する）が照明器具と共に外装部材に収納される。梱包部材としては、照明器具の各部材が載置される梱包トレーを用いることが多い。梱包トレーは、外装部材内において外周縁が外装部材の内周面に当接して移動が禁止されることにより、外装部材に衝撃が加わった際に外装部材内で照明器具が移動して破損することを防止するとともに、照明器具に対する衝撃を緩和する（たとえば特許文献１参照）。
【０００３】
特許文献１に記載の梱包トレー（緩衝体）は、器具本体の他に、ランプを包囲するセードを備えた照明器具の梱包に用いられるものであって、器具本体を位置固定する本体固定凹所（本体保持部）と、本体固定凹所の周囲においてセードの開口部の周縁を位置決めすることによりセードを位置固定する凸部とが形成されている。この梱包トレーは、合成樹脂を含む薄板より真空成形や圧空成形などによって成形される。
【特許文献１】特許第２９１８８０１号公報（第０００７段落）
【発明の開示】
【発明が解決しようとする課題】
【０００４】
ところで、照明器具はセードの形状が異なるだけでも外観が異なるので、同じ形状の器具本体に対して形状が異なる複数種類のセードを組み合わせることにより複数種類の照明器具を提供することができる。しかし、上述した梱包部材はセードの形状に合わせて形成されているので、この梱包部材を照明器具の梱包に用いる場合に、複数種類の照明器具に対しては梱包部材も複数種類製作する必要があり、梱包部材を製作するための金型が複数種類必要になる。したがって、金型費用が梱包部材の製作コストの引き上げ要因になるという問題を生じる。
【０００５】
本発明は上記事由に鑑みて為されたものであって、セードの形状が異なる複数種類の照明器具の梱包に使用可能な照明器具用梱包部材を提供することにより、照明器具用梱包部材の製作コストを低減することを目的とする。
【課題を解決するための手段】
【０００６】
請求項１の発明は、平面視矩形状に形成され中央部に照明器具の器具本体を位置固定する本体固定凹所が形成された梱包トレーからなり、本体固定凹所の周囲において、本体固定凹所に位置固定された前記器具本体を囲む形で開口部を梱包トレー側に向けて載置される照明器具のセードにおける開口部の周縁を位置決めすることにより当該セードを位置固定するセード固定部を備え、セード固定部が、開口部の周縁の形状が異なる複数種類のセードを種類毎にそれぞれ位置固定する複数種類の位置決め手段を有して成ることを特徴とする。
【０００７】
この構成によれば、セードの開口部の周縁を位置決めするセード固定部が、開口部の周縁の形状が異なる複数種類のセードを種類毎にそれぞれ位置固定する複数種類の位置決め手段を有するので、１種類の梱包トレーによってセードの形状が異なる複数種類の照明器具をそれぞれ梱包することができる。したがって、照明器具の種類毎に異なる梱包トレーを製作する必要がなく、照明器具用梱包部材の製作コストの低減につながる。
【０００８】
請求項２の発明は、請求項１の発明において、前記照明器具が、天井面に取り付けられ下方に円環形のランプを保持する器具本体と、下面に前記開口部を有しランプを包囲する形で器具本体に着脱可能に取り付けられるセードとを備え、使用時における器具本体の上部が前記本体固定凹所に嵌入され、使用時におけるセードの下端部が梱包トレーに載置された状態で梱包され、前記セード固定部が、開口部が矩形状の第１のセードを備えた第１の照明器具を梱包する際に第１のセードを位置固定する第１の位置決め手段と、開口部が円形状であって当該円形の直径寸法が第１のセードの開口部における各辺の長さ寸法より大きくかつ対角線の長さ寸法より小さい第２のセードを有する第２の照明器具を梱包する際に第２のセードを位置固定する第２の位置決め手段とを有することを特徴とする。
【０００９】
この構成は開口部の形状が円形状であるセードと矩形状であるセードとに共用できる梱包トレーを提供するものであり、開口部が円形状のセードを有する照明器具に適合する梱包トレーに載置可能かつ周部に大きな余剰を残すことがない矩形状の開口部を有するセードの条件として、上記条件を設定している。つまり、器具本体の仕様が実質的に同仕様であればセードの開口部の形状にかかわらずセードの寸法が同程度になるから、請求項２の発明の構成によって実質的に同仕様である器具本体に用いる異なる形状のセードの梱包に用いるのに適した梱包トレーを提供できる。
【００１０】
請求項３の発明は、請求項１または請求項２の発明において、前記位置決め手段が、１つのセードに対して外側から当接する外側押え片と、外側押え片と前記本体固定凹所との間において外側押え片に対して一定の間隔だけ離れて形成され、外側押え片に当接する前記セードと開口部の周縁の形状が同じでかつ前記セードよりもサイズが小さい別のセードに対して内側から当接する内側押え片とを有することを特徴とする。
【００１１】
この構成によれば、外側押え片が１つのセードに対して外側から当接するのに対して、当該セードよりもサイズが小さい別のセードを位置固定する内側押え片がセードに対して内側から当接するので、両セードのサイズの差が小さくとも、外側押え片と内側押え片とを間隔を比較的大きくとることができる。したがって、梱包トレーを製作するための金型が作り易くなり、また、梱包トレーへのセードの設置が容易になるという効果も期待できる。
【００１２】
請求項４の発明は、請求項１ないし請求項３のいずれかの発明において、前記照明器具が、天井面から吊下される器具本体と、器具本体の上面に着脱可能に取り付けられ器具本体の上面から引き出される電源コードの一部と器具本体における電源コードの引き出し部位とを覆うコードカバーとを備え、前記梱包トレーが、前記コードカバーを位置固定するコードカバー固定部を少なくとも１つの角部に有することを特徴とする。
【００１３】
この構成によれば、開口部が円形状のセードを梱包する場合にセードの梱包には用いない梱包トレーの角部を利用してコードカバーを位置固定するから、照明器具の梱包に梱包トレーを無駄なく使用することができる。また、１個の梱包トレーによって器具本体やセードと共にコードカバーを位置固定することができるので、コードカバーを梱包するための別部材が不要であるという利点もある。
【００１４】
請求項５の発明は、請求項１ないし請求項４のいずれかの発明において、前記照明器具が、平面視矩形状のセードと、当該セードの各角部にそれぞれ配置される支柱と隣接する支柱同士を連結する飾り縁とによって構成されセードの外周面を囲む形でセードに取着される飾り枠とを備え、前記梱包トレーが、前記支柱が挿入されることにより当該支柱を保持する支柱保持凹所を各角部にそれぞれ有することを特徴とする。
【００１５】
飾り枠はセードに比べて破損し易いものであるが、請求項５の構成によれば、飾り枠の各角部をそれぞれ保持することにより飾り枠を確実に位置固定するから、外力が飾り枠に作用し難くなり、衝撃力による飾り枠の破損を防止することができる。また、１個の梱包トレーによって器具本体やセードと共に飾り枠を位置固定することができるので、飾り枠を梱包するための別部材が不要であるという利点もある。
【発明の効果】
【００１６】
本発明は、セードの開口部の周縁を位置決めするセード固定部が、開口部の周縁の形状が異なる複数種類のセードを種類毎にそれぞれ位置固定する複数種類の位置決め手段を有するので、１種類の梱包トレーによってセードの形状が異なる複数種類の照明器具をそれぞれ梱包することができる。したがって、照明器具の種類毎に異なる梱包トレーを製作する必要がなく、照明器具用梱包部材の製作コストの低減につながる。
【発明を実施するための最良の形態】
【００１７】
本実施形態では、矩形箱状の外装部材に照明器具を収納して照明器具を梱包する際に、外装部材に照明器具と共に収納され外装部材内で照明器具を位置固定する照明器具用梱包部材として用いられる平面視矩形状の梱包トレーについて説明する。
【００１８】
まず、本実施形態の梱包の対象となる照明器具について説明する。本実施形態ではセードの形状が異なる複数種類の照明器具を梱包の対象としているが、先に、梱包対象である照明器具に共通する構成について、図１０に示す照明器具を参照して説明する。
【００１９】
照明器具は、使用形態において天井面から吊下される形で天井面に取り付けられ後述するようなランプを下方に保持する器具本体１と、器具本体１に着脱可能に取り付けられランプを包囲するセード２ａ（または２ｂ，２ｃ）とを備えた所謂ペンダント型のものである。セード２ａ（または２ｂ，２ｃ）は下面に開口部を有する。
【００２０】
器具本体１は円盤状であって、直径の異なる２本の円環形のランプ３，４を保持する。器具本体１が天井面から吊下された状態では、小径であるランプ４が大径であるランプ３に対して下方にずれた状態で保持される。器具本体１の外周面において器具本体１の厚み方向の中央部には、外周面に交わる向きに突出する鍔部５（図３参照）が設けられている。セード２ａの上面には、鍔部５を除いた器具本体１と直径寸法が同程度の円形状の本体配置孔６が貫設されており、セード２ａは、使用形態において本体配置孔６に器具本体１が下方から挿入された状態で器具本体１の鍔部５に本体配置孔６の周縁が引っ掛かることにより器具本体１に取り付けられる。器具本体１にセード２ａが取り付けられた状態においては、セード２ａの開口部から両ランプ３，４が露出するとともに、セード２ａの本体配置孔６から器具本体１の上面が露出する。さらに、照明器具１は、器具本体１の上面に着脱可能に取り付けられ器具本体１の上面から引き出される電源コード（図示せず）の一部と器具本体１における電源コードの引き出し部位とを覆うコードカバー７を備えている。コードカバー７は、底面開口され先端部に電源コードが挿通される透孔８（図４参照）が貫設された円錐状であって、下端縁から側方に突出し器具本体１に固定されるための固定鍔９（図４参照）を有する。
【００２１】
この照明器具は、器具本体１とセード２ａとコードカバー７とが分離された状態で梱包トレー上に載置されて梱包される。ここで、梱包トレー上において、中央部に器具本体１が両ランプ３，４を梱包トレーとは反対側に保持した状態で載置され、セード２ａは、開口部を梱包トレー側に向けて器具本体１および両ランプ３，４を覆うように梱包トレー上に載置される。すなわち、器具本体１とセード２ａとは、照明器具の使用形態における位置関係に対して、照明器具の使用形態における上下方向において器具本体１が逆向きとされた状態で梱包される。
【００２２】
ところで、本実施形態では、器具本体１の形状が同じであってセード２ａの形状が異なる複数種類の照明器具を梱包の対象としており、図１０に示すような開口部が矩形状に開口した第１のセード２ａを有する第１の照明器具の他に、図５（または図１１）に示すような開口部が円形状に開口した第２のセード２ｂを有する第２の照明器具と、図８に示すような開口部が第２のセード２ｂより直径寸法の小さい円形状に開口した第３のセード２ｃを有する第３の照明器具との３種類の照明器具とを梱包の対象とする。ただし、第２のセード２ｂおよび第３のセード２ｃの開口部の直径寸法は、第１のセード２ａの開口部における各辺の長さ寸法より大きくかつ対角線の長さ寸法より小さい範囲で設定される。
【００２３】
また、第１の照明器具においては、セード２ａの高さ寸法（照明器具の使用形態における上下方向の寸法）と同程度の長さ寸法を有する円柱状であって第１のセード２ａの各角部にそれぞれ配置される支柱１０と、隣接する支柱１０同士を連結する飾り縁１１とによって構成される飾り枠１２を備えている。飾り枠１２は、セード２ａの外周面を囲む形でセード２ａに着脱可能に取り付けられるものであって、取り付けられた状態では照明器具の外観を良くする。飾り縁１１は、セード２ａの上面における外周縁を覆う上面飾り１３と、セード２ａの外周面に沿って並ぶ２本の円柱状の外周面飾り１４とで構成される。この飾り枠１２も、セード２ａと分離された状態で、器具本体１と共に梱包される。
【００２４】
次に、本実施形態の梱包トレーＡについて図１を参照して詳述する。以下では、梱包トレーＡの上方から照明器具の各部材（器具本体１、セード２ａ〜２ｃ、コードカバー７）が載置される場合の上下を上下として説明する。
【００２５】
梱包トレーＡは、パルプを材料として成形されるパルプモールド（紙成形品）であって、上下方向に直交する平面視において矩形状に形成され、中央部には、照明器具の器具本体１の上面と同じ円形状に下方に凹んだ本体固定凹所１６が設けられる。ただし、合成樹脂を含む薄板から真空成形や圧空成形などにより梱包トレーＡを成形してもよい。本体固定凹所１６には後述するように器具本体１が位置固定される。本体固定凹所１６の周囲においては、梱包トレーＡの外周縁に内接する平面視円弧状に下方に凹んだ環状溝１７が形成される。環状溝１７の深さ寸法は、円弧の半径方向において２段階に設定されており、外側つまり梱包トレーＡの外周縁側の深さ寸法（以下では「第２深さ寸法」と呼ぶ）が、内側つまり本体固定凹所１６側の深さ寸法（以下では「第３深さ寸法」と呼ぶ）より大きい。つまり、環状溝１７内には、環状溝１７の内周面に沿う段差１８が形成される。ここで、環状溝１７の２段階の深さ寸法はいずれも本体固定凹所の深さ寸法（以下では「第１深さ寸法」と呼ぶ）より小さく設定される。つまり、第１深さ寸法Ｄ１＞第２深さ寸法Ｄ２＞第３深さ寸法Ｄ３となる（図３参照）。
【００２６】
本体固定凹所１６と環状溝１７との間に残る円環状の領域は、本体固定凹所１６および環状溝１７に対して上方に凸となる固定台１９であって、外側つまり環状溝１７側の側面は、円環の半径方向において深さ寸法を第３深さ寸法Ｄ３まで連続的に変化させる斜面を成している。斜面は、固定台１９の深さ寸法が環状溝１７に近づく程大きくなるように傾斜する。この斜面は、環状溝１７における内側つまり本体固定凹所１６側の側面を構成しており、後述するように第３のセード２ｃを位置固定する第３固定面（内側押え片）１５として機能する。また、環状溝１７における外側つまり梱包トレーＡの外周縁側の側面は、後述するように第２のセード２ｂを位置固定する第２固定面（外側押え片）２０として機能する。
【００２７】
ところで、本実施形態では、開口部が矩形状の第１のセード２ａを位置固定する第１固定面を形成するために、梱包トレーＡの外周縁の各辺に沿って下方に凹んだ直線溝２１が設けられる。
【００２８】
直線溝２１は、平面視が各辺の長さ寸法が環状溝１７の直径寸法よりも小さく、かつ対角線の長さ寸法が環状溝１７の直径寸法よりも大きくなるように設定された仮想矩形上に配置される。換言すると、環状溝１７は当該仮想矩形の内接円と外接円との間の直径寸法の円弧状であって、直線溝２１の各辺においては環状溝１７の一部が当該仮想矩形で囲まれた領域外に位置し、当該仮想矩形の全ての角部が環状溝１７に囲まれた領域外に位置する。ここで、直線溝２１における本体固定凹所１６側の側面は、後述するように第１のセード２ａを位置固定する第１固定面３０として機能する。
【００２９】
また、直線溝２１は、第３深さ寸法Ｄ３よりも小さい深さ寸法（以下では「第４深さ寸法」と呼ぶ）に設定されており、第４深さ寸法Ｄ４（図３参照）より大きい深さ寸法だけ下方に凹んだ部位（環状溝１７、第３固定面１５の一部）には形成されていないから、環状溝１７などによって分断された形になる。ただし、以下では、仮想矩形上に配置された直線溝２１を連続した１つの直線溝２１として説明する。
【００３０】
直線溝２１と梱包トレーＡの外周縁との間には、直線溝２１よりやや小さい幅寸法で下方に第４深さ寸法Ｄ４だけ凹んだ直線状の飾り枠用溝２２が形成される。飾り枠用溝２２は、直線溝２１が配置された仮想矩形よりやや大きい別の仮想矩形上に配置され、第１の照明器具が備える飾り枠１１を位置決めするものである。飾り枠用溝２２においても、直線溝２１と同様に環状溝１７などによって分断されるが、以下では仮想矩形上に配置された飾り枠用溝２２を１つの飾り枠用溝２２として説明する。飾り枠用溝２２と直線溝２１との間には所定の間隔が設けられており、飾り枠用溝２２と直線溝２１との間においては、第４深さ寸法Ｄ４より小さい深さ寸法で下方に凹んでいる。さらに、飾り枠用溝２２が配置された仮想矩形における各角部には、それぞれ飾り枠１１を構成する支柱１０を保持する平面視円形状の支柱保持凹所２３が下方に凹まされて形成される。なお、飾り枠用溝２２は飾り枠１１を位置決めするものであるから、第３固定面１５に飾り枠１１が当接するのであれば図１のように第３固定面１５にも飾り枠用溝２２が形成されるが、以下の説明では、第３固定面１５に飾り枠１１が当接しない寸法設定とし第３固定面１５に飾り枠用溝２２を設けない。
【００３１】
また、本体固定凹所１６からは、梱包トレーＡの外周縁の各辺および各角部に向かってそれぞれ放射状に合計８本の分断溝２４が延長される。分断溝２４は、本体固定凹所１６と第２固定面２０との間に亘って形成され、固定台１９を８個に分割する。各分断溝２４の長手方向の中央部においては、分断溝２４の幅方向の両端間にわたって上方に凸となる溝内台２５がそれぞれ形成される。各溝内台２５はそれぞれ、平面視が分断溝２４の幅方向に長い矩形状であって、深さ寸法が第３深さ寸法Ｄ３に設定される。上述のように分断溝２４が固定台１９を分割することにより梱包トレーＡには弾性が付与される。
【００３２】
梱包トレーＡの１つの角部（図１（ｂ）の左上）においては、コードカバー７を位置決めするためのコードカバー固定部として第１のコードカバー固定凹所２６が形成されている。第１のコードカバー固定凹所２６は、環状溝１７に囲まれた領域外において、飾り枠用溝２２が配置された仮想矩形の角部が平面視三角形状に第１深さ寸法Ｄ１だけ下方に凹んで成る。第１のコードカバー固定凹所２６において、前記仮想矩形の角上の三角形の頂点は図１（ｂ）の左上方に開放されており、当該頂点の対辺の中央部は分断溝２４に連続する。また、梱包トレーＡの他の角部（図１（ｂ）の左上以外）には、平面視矩形枠状に第１深さ寸法Ｄ１だけ下方に凹まされることにより脚部２７が形成される。ただし、梱包トレーＡの角部において支柱保持凹所２３が形成されている部位には脚部２７は設けられない。
【００３３】
また、梱包トレーＡの１つの角部（図１（ｂ）の右上）においては、コードカバー７を位置決めするためのコードカバー固定部として第２のコードカバー固定凹所２８が形成されている。第２のコードカバー固定凹所２８は、直線溝２１が配置された仮想矩形に囲まれる領域内において、平面視円形状に第４深さ寸法Ｄ４よりやや大きい深さ寸法だけ下方に凹んで成る。ここで、第２のコードカバー固定凹所２８の一部に環状溝１７が重畳して設けられている。第２のコードカバー固定凹所２８の一部は、梱包トレーＡの外周に向かって延長されコードカバー７の固定鍔９を位置決めする鍔固定凹所２８ａを形成する。第２のコードカバー固定凹所２８内における周縁の一部には、周縁に沿って下方に凹んだ縁溝２９が形成される。
【００３４】
一方、外装部材については図示しないが、上述した梱包トレーＡの平面視と同様の矩形状の底面を有し、いずれかの側面あるいはいずれかの底面が開閉可能な箱状の外装部材を用いる。梱包トレーＡを外装部材に収納した状態では、梱包トレーＡの外周縁が全周にわたって外装部材の内周面に当接し、外装部材内での梱包トレーＡの移動が規制される。梱包トレーＡの外周縁は全周にわたって下方に延長されている（図３参照）。
【００３５】
以下では、上述した梱包トレーＡを用いて第１〜３の各照明器具を梱包する形態についてそれぞれ説明する。
【００３６】
まず、第１の照明器具を梱包する形態について図２ないし図３を参照して説明する。器具本体１は、使用形態における上部が本体固定凹所１６内に上方から嵌入されることにより、鍔部５が固定台１９上に載置される形で梱包トレーＡに対して位置固定される。この状態で、両ランプ３，４は器具本体１によって器具本体１の上方に保持される。コードカバー７は、図４に示すように、開口した円錐の底面を下方にして第２のコードカバー固定凹所２８内に配置されることにより梱包トレーＡに対して位置固定される。ここで、コードカバー７の固定鍔９は鍔固定凹所２８ａ内に配置される。
【００３７】
開口部が矩形状に開口した第１のセード２ａは、上述したように開口部を下方に向けて器具本体１およびランプ３，４を覆うように梱包トレーＡ上に載置される。第１の照明器具においては、コードカバー７も第１のセード２ａにより覆われる。ここにおいて、第１のセード２ａにおける開口部の周縁は直線溝２１内に配置され、第１のセード２ａが直線溝２１の底面（以下では「第１載置面」と呼ぶ）２１ａ上に載置された状態で、第１のセード２ａにおける内周面の下端部が第１固定面３０に当接することにより、第１のセード２ａの位置固定が為される。第１載置面２１ａの深さ寸法は直線溝２１の深さ寸法であるから、上述したように第４深さ寸法Ｄ４になる。飾り枠１１は、外周面飾り１４が上面飾り１３の下方に位置した状態で、支柱１０が各支柱保持凹所２３にそれぞれ上方から挿入されることにより位置決めされ、さらに外周面飾り１４の下部が飾り枠用溝２２内に配置される。
【００３８】
次に、第２の照明器具を梱包する形態について図５ないし図６を参照して説明する。器具本体１の梱包については第１の照明器具と同様である。ここで、開口部が円形状に開口した第２のセード２ｂを梱包する場合には環状溝１７を使用するので、コードカバー７の位置固定において、環状溝１７上に位置する第２のコードカバー固定凹所２８は使用せず、第１のコードカバー固定凹所２６を使用する。つまり、コードカバー７は、図７に示すように、開口した円錐の底面を本体固定凹所１６側に向ける形で、第１のコードカバー固定凹所２６内に配置されることにより梱包トレーＡに対して位置固定される。第２のセード２ｂは、開口部の周縁が環状溝１７内に配置され、環状溝１７の底面（以下では「第２載置面」と呼ぶ）１７ｂ上に載置された状態で、外周面の下端部が第２固定面２０に当接することにより位置固定される。ここで、第２のセード２ｂが載置される第２載置面１７ｂは、環状溝１７において段差１８より外側であって深さ寸法が第２深さ寸法Ｄ２に設定された底面である。
【００３９】
次に、第３の照明器具を梱包する形態について図８ないし図９を参照して説明する。器具本体１およびコードカバー７の梱包については第２の照明器具と同様である。また、開口部が円形状に開口した第３のセード２ｃの梱包においても、環状溝１７を使用する点で第２の照明器具を梱包する場合と共通するが、第３のセード２ｃにおいては、第２のセード２ｂより開口部の直径寸法が小さいので、内周面の下端部が、環状溝１７の内側の側面つまり第３固定面１５に当接することにより位置固定される。この状態で、第３のセード２ｃは、環状溝１７において段差１８より内側であって深さ寸法が第３深さ寸法Ｄ３に設定された底面（以下では「第３載置面」と呼ぶ）１７ｃ上に載置される。
【００４０】
このように、環状溝１７は、セード２ｂに対して外側から当接する外側の側面（外側押え片）と、セード２ｃに対して内側から当接する内側の側面（内側押え片）とを有しているので、外側押え片と内側押え片とをセード２ｂ，２ｃのサイズに合わせて使い分けることにより、セード２ｂ，２ｃの開口部の形状が同じでサイズが異なる第２の照明器具と第３の照明器具とのどちらを梱包する場合にも使用することができる。
【００４１】
ところで、第１〜３の照明器具においては、セード２ａ〜２ｃの高さ寸法もそれぞれ異なるが、梱包トレーＡにおいてそれぞれのセード２ａ〜２ｃが載置される第１載置面２１ａと第２載置面１７ｂと第３載置面１７ｃとの深さ寸法を上述したように個別（第４深さ寸法Ｄ４、第２深さ寸法Ｄ２、第３深さ寸法Ｄ３）に設定することにより、梱包状態において梱包トレーＡと照明器具とを合わせた高さ寸法（上下方向の寸法）を第１〜３のすべての照明器具で一律に揃えることができる。したがって、外装部材に同じ大きさのものを用いることができる。
【００４２】
上述したように、本実施形態では、セードを位置固定するセード固定部として、開口部の形状が異なる複数種類のセード２ａ〜２ｃを種類毎にそれぞれ位置固定する複数種類の位置決め手段（固定面）を有しており、本実施形態の梱包トレーＡを用いれば、１種類の梱包トレーＡによって、セード２ａ〜２ｃの形状が異なる複数種類の照明器具をそれぞれ梱包することができるので、照明器具の種類毎に異なる梱包トレーＡを製作する必要がなく、梱包トレーＡの製作コストの低減が期待できる。ここで、第１のセード２ａを位置固定する第１固定面３０を第１の位置決め手段とし、第２のセード２ｂを位置固定する第２固定面２０を第２の位置決め手段とする。しかも、本実施形態のようなトレー状の照明器具用梱包部材では、照明器具の各部材が梱包トレーＡ上に位置決めされた梱包状態のままで外装部材に対して照明器具を出し入れすることができるので、外装部材への照明器具の収納および外装部材からの照明器具の取り出しが比較的容易である。
【００４３】
さらに、第１〜３のいずれの照明器具を梱包する場合においても、コードカバー７を梱包トレーＡにより位置固定することができるので、コードカバー７を梱包するための別部材が不要であるという利点がある。第１の照明器具においては飾り枠１１も梱包トレーＡにより位置固定することができるので、飾り枠１１を梱包するための別部材も不要である。また、本実施形態では、梱包トレーＡにおいて下方に凹まされた各部位を上方に向かって広がる形状とし、照明器具を梱包する際に梱包トレーＡの各凹みに照明器具の各部材を挿入し易くしてある。
【００４４】
ところで、梱包トレーＡの形状は上述した形状に限定されるものではなく、たとえば、図１０および図１１に示すような形状であってもよい。図１０ないし図１１に示す梱包トレーＡは、直線溝２１の側面からなる第１固定面３０に代えて、固定台１９と梱包トレーＡの外周縁の各辺の中央部との間にそれぞれ設けられたセード固定台３１によって、第１のセード２ａを位置固定することができる。ここでは、第２のコードカバー固定凹所２８に代えて、コードカバー７が開口した円錐の底面を本体固定凹所１６に向けて配置された状態でコードカバー７の周囲を包囲する形状に、上方に凸となるコードカバー固定台３２が設けられる。この梱包トレーＡにおいても、図１２に示すように、各角部に設けられた支柱保持凹所２３に飾り枠１１の１０支柱をそれぞれ挿入することにより、飾り枠１１を位置固定することができる。
【００４５】
また、外装部材に照明器具を梱包トレーＡと共に収納して照明器具を梱包する際には、上述したいずれの形状の梱包トレーＡであっても、図１０ないし図１１に示すように、大径であるランプ３と小径であるランプ４との間隙に挿入される円筒状の第１の梱包補助部材Ｂと、セード２ａ〜２ｃ（飾り枠１１がある場合には飾り枠１１）の周囲を囲む第２の梱包補助部材Ｃとを用いることが望ましい。両梱包補助部材Ｂ，Ｃは、段ボールなどにより形成される。これらの梱包補助部材Ｂ，Ｃを梱包トレーＡおよび照明器具と共に外装部材に収納すれば、第１の梱包補助部材Ｂにより両ランプ３，４の保護および器具本体１における上下方向の位置ずれを防止することが可能であって、第２の梱包補助部材Ｃによって上下方向に作用する積圧荷重に対する耐久性を高めることができる。第１の梱包補助部材Ｂは、梱包トレーＡ上においてセード２ａ〜２ｃに覆われるので、梱包トレーＡにセード２ａ〜２ｃを位置固定する前に設置される。
【００４６】
なお、上述した実施形態は梱包トレーＡの形状を限定するものではなく、本発明の梱包トレーＡは、セードを位置固定するセード固定部として、開口部の形状が異なる複数種類のセード２ａ〜２ｃを種類毎にそれぞれ位置固定する複数種類の位置決め手段を有するものであればよいので、たとえば、ペンダント型以外の照明器具の梱包に使用されるものであってもよい。セードの開口部の形状についても上述した円形や矩形状に限らず、たとえば楕円形状や多角形状などに開口したセードを備える照明器具の梱包に使用される梱包トレーＡに本発明を採用してもよい。
【図面の簡単な説明】
【００４７】
【図１】本発明の実施形態における梱包トレーを示し、（ａ）は斜視図、（ｂ）は平面図である。
【図２】同上の第１の照明器具を梱包する形態を示す斜視図である。
【図３】同上の第１の照明器具を梱包する形態を示す要部断面図である。
【図４】同上の第１の照明器具を梱包する場合の要部を示す斜視図である。
【図５】同上の第２の照明器具を梱包する形態を示す斜視図である。
【図６】同上の第２の照明器具を梱包する形態を示す要部断面図である。
【図７】同上の第２の照明器具を梱包する場合の要部を示す斜視図である。
【図８】同上の第３の照明器具を梱包する形態を示す斜視図である。
【図９】同上の第３の照明器具を梱包する形態を示す要部断面図である。
【図１０】同上の第１の照明器具を梱包する他の形態を示し、（ａ）は分解斜視図、（ｂ）は斜視図である。
【図１１】同上の第２の照明器具を梱包する他の形態を示し、（ａ）は分解斜視図、（ｂ）は斜視図である。
【図１２】同上の要部を示す斜視図である。
【符号の説明】
【００４８】
１  器具本体
３，４  ランプ
７  コードカバー
１０  支柱
１１  飾り縁
１２  飾り枠
１５  第３固定面
１６  本体固定凹所
２０  第２固定面
２３  支柱保持凹所
２６  第１のコードカバー固定凹所
２８  第２のコードカバー固定凹所
３０  第１固定面
３２  コードカバー固定台
２ａ〜２ｃ  セード
Ａ  梱包トレー（照明器具用梱包部材）
【図１】
2006168758.tif 000003
【図２】
2006168758.tif 000004
【図３】
2006168758.tif 000005
【図４】
2006168758.tif 000006
【図５】
2006168758.tif 000007
【図６】
2006168758.tif 000008
【図７】
2006168758.tif 000009
【図８】
2006168758.tif 000010
【図９】
2006168758.tif 000011
【図１０】
2006168758.tif 000012
【図１１】
2006168758.tif 000013
【図１２】
2006168758.tif 000014